(57)【特許請求の範囲】
【請求項１】
固有の識別コードを有し情報の読み書きが可能な携帯カードと、
前記携帯カードの着脱が可能でありロッカーボックスを施錠することにより該携帯カードを抜き取れるようにした電気錠を備えた下足ロッカー装置であって、前記電気錠は、精算情報が記録された携帯カードが挿入されると解錠可能となるとともに、施錠されたときは該携帯カードの精算情報をクリアするよう構成された下足ロッカー装置と、
前記携帯カードの着脱が可能な電気錠を備えた更衣ロッカー装置であって、前記電気錠に前記携帯カードが装着されると、該携帯カードに当該更衣ロッカーの情報を書き込むことにより、該電気錠の施錠及び解錠を可能にした更衣ロッカー装置と、
を備えたロッカーシステムであって、
前記下足ロッカー装置から抜き取られた前記携帯カードから、該携帯カードの識別コードを読み取って記憶手段に登録し、前記更衣ロッカー装置から抜き取られた前記携帯カードから、該携帯カードの識別コードと前記更衣ロッカー装置の情報とを読み取り、
前記記憶手段に登録された識別コードと前記携帯カードから読み取った更衣ロッカー装置の情報により、該更衣ロッカー装置の情報に対応する精算情報を該携帯カードに記録するようにしたことを特徴とするロッカーシステム。
【発明の詳細な説明】
【技術分野】
【０００１】
本発明は、温浴施設等で利用者が利用するロッカーシステムに関わり、下足を収納する下足ロッカー装置、リストバンド等の携帯品を接近させることにより非接触で解錠する更衣ロッカー装置及びロッカーシステムに関する。
【背景技術】
【０００２】
従来、この種のロッカーシステムにおいて電気式の下足ロッカー（シューズロッカー）を備えており、施設への入館時にフロントで貸与されるリストバンドを用いて下足ロッカーと更衣ロッカーを利用するものである。このリストバンドにはＩＣチップが埋め込まれていて、下足ロッカーの電気錠はＩＣチップの情報と利用情報を読み書きする機能が備わっている。また、下足ロッカーと館内の更衣ロッカーは上位コントローラに接続され、館内の更衣ロッカーの利用情報と、飲食等の各種利用情報を格納し、下足ロッカーの解錠時にそれらの情報をもとに解錠させる下足ロッカーがある。
【０００３】
また、フロント等に配置したパーソナルコンピュータ等の集中制御装置と複数のロッカー装置との間でオンラインでデータ通信を行うようなシステムが、例えば特開平１０−３０６６３７号公報（特許文献１）あるいは特許第３９５５８５７号公報（特許文献２）に開示されている。この特許文献１のものでは、ロッカー装置とリストバンドとのデータの授受を集中制御装置側で認識し、ロッカー装置の施解錠の制御や、各ロッカー装置のＩＤコードとリストバンドのＩＤコードとの対応付け等を集中制御装置側で管理し、集中管理を行うようにしている。
【０００４】
また、別の従来例として、機械式錠を備えた下足ロッカーに下足を入れ、下足ロッカーキーで施錠し、その下足ロッカーキーをフロントに持っていくと、管理装置により更衣ロッカーキーと下足ロッカーキーとを対応付けて管理することで、利用可能になるシステムがある。
【特許文献１】特開平１０−３０６６３７号公報
【特許文献２】特許第３９５５８５７号公報
【発明の開示】
【発明が解決しようとする課題】
【０００５】
従来は、施設への入館時に下足を預ける前にフロントに一旦立ち寄り、リストバンドを受け取る必要があり、入館時の流れに問題があった。また、管理装置とオンライン接続されたシステムとなっているものでは、大がかりなシステムとなるという問題がある。
【０００６】
また、別の従来例のように機械式錠を備えたものでは、フロントで下足ロッカーキーと更衣ロッカーキーとを対応付けて管理する作業が発生してしまい、スタッフの負担が大きいという問題がある。また、複数の下足ロッカーキーを下足ロッカーから抜きとって、一方の下足ロッカーキーで館内の飲食等に利用し、他方の下足ロッカーキーで精算して下足ロッカーを解錠するといった、不正な使用に対して何の対抗策もとれないという問題があった。
【０００７】
本発明は、下足ロッカーと更衣ロッカーとをオンラインで接続することなく簡単なシステムとするとともに、スタッフによる管理等も容易としたロッカーシステムを提供することを課題とする。
【課題を解決するための手段】
【０００８】
請求項１のロッカーシステムは、固有の識別コードを有し情報の読み書きが可能な携帯カードと、前記携帯カードの着脱が可能でありロッカーボックスを施錠することにより該携帯カードを抜き取れるようにした電気錠を備えた下足ロッカー装置であって、前記電気錠は、精算情報が記録された携帯カードが挿入されると解錠可能となるとともに、施錠されたときは該携帯カードの精算情報をクリアするよう構成された下足ロッカー装置と、前記携帯カードの着脱が可能な電気錠を備えた更衣ロッカー装置であって、前記電気錠に前記携帯カードが装着されると、該携帯カードに当該更衣ロッカーの情報を書き込むことにより、該電気錠の施錠及び解錠を可能にした更衣ロッカー装置と、を備えたロッカーシステムであって、前記下足ロッカー装置から抜き取られた前記携帯カードから、該携帯カードの識別コードを読み取って記憶手段に登録し、前記更衣ロッカー装置から抜き取られた前記携帯カードから、該携帯カードの識別コードと前記更衣ロッカー装置の情報とを読み取り、前記記憶手段に登録された識別コードと前記携帯カードから読み取った更衣ロッカー装置の情報により、該更衣ロッカー装置の情報に対応する精算情報を該携帯カードに記録するようにしたことを特徴とする。
【０００９】
請求項１における下足ロッカー装置によれば、ロッカーボックスに下足を入れてロッカーボックスを施錠すると携帯カードを抜き取ることができ、この携帯カードを抜き取ってフロント等で該携帯カードの識別情報を登録するとともに、該携帯カードを更衣ロッカーに装着して該更衣ロッカーを使用することができる。また、更衣ロッカーを使用すると携帯カードに該更衣ロッカーの情報が書き込まれ、更衣ロッカーの使用終了後、フロント等で該更衣ロッカーの情報に基づいて精算を行って、その精算情報を記録することができ、この精算情報を記録した携帯カードで下足ロッカー装置の電気錠を解錠して下足を取り出すことができる。
【００１１】
また、請求項１における更衣ロッカー装置によれば、下足ロッカー装置から抜き取った携帯カードから、フロント等で識別情報を登録し、この携帯カードを電気錠に装着することで、該携帯カードに当該更衣ロッカー装置の情報が書き込まれ、電気錠の施錠及び解錠が可能となるので、更衣ロッカー装置を自由に利用できる。したがって、任意の更衣ロッカー装置を選んで使用することができる。また、携帯カードには当該更衣ロッカー装置の情報が書き込まれているので、この携帯カードにはフロント等においてその情報と登録された識別情報とにより精算情報を記録することができ、下足ロッカー装置の解錠を行うことができる。
【発明の効果】
【００１４】
請求項１のロッカーシステムによれば、携帯カードにより下足ロッカー装置と連携して更衣ロッカー装置を利用できるとともに、フロント等では携帯カードの識別コードの登録及び精算情報の記録等を行うだけでよいので、簡単なシステムとなり、さらにスタッフによる管理等も容易になる。
【００１５】
また、携帯カードにより更衣ロッカー装置と連携して下足ロッカー装置を利用できるとともに、フロント等では携帯カードの識別コードの登録及び精算情報の記録等を行うだけでよいので、簡単なシステムとなり、さらにスタッフによる管理等も容易になる。
【発明を実施するための最良の形態】
【００１７】
次に、本発明のロッカーシステムの実施形態を図面を参照して説明する。図１は本発明の実施形態のロッカーシステムの概略構成図であり、このロッカーシステムは、複数の下足ロッカー装置１からなる下足ロッカーＡ、複数の更衣ロッカー装置２からなる更衣ロッカーＢ、施設のフロント等に設けられたパーソナルコンピュータ３及び携帯カードとしてのＩＣカード４から構成される。
【００１８】
ＩＣカード４は固有の識別コードを記憶しており、下足ロッカー装置１及び更衣ロッカー装置２が備えているカードリーダ／ライタとの間でデータの授受を行う。すなわち、このＩＣカード４とカードリーダ／ライタ（カードＲ／Ｗ）は、例えばＲＦＩＤ（Radio Freqency IDdentification）システムであり、カードＲ／Ｗはアンテナからデータを送信してＩＣカード４に各種のデータを記憶することができる。また、ＩＣカード４からのデータはアンテナで受信して取り込むことができる。
【００１９】
フロントのパーソナルコンピュータ３は記憶手段としてのサーバ３２が接続されており、このサーバ３２には、当該施設内での利用者による飲食等の各種利用情報が図示しないＬＡＮを介して蓄積される。また、ＩＣカード４から読み取った識別コードがサーバ３２に登録されるとともに、利用者の情報等が対応付けて記録される。
【００２０】
図２は下足ロッカー装置１の外観図であり、下足ロッカー装置１はロッカー扉１ａの表側にカードＲ／Ｗ１１を有し、このカードＲ／Ｗ１１内にＩＣカード４が挿入されている。また、ロッカー扉１ａの内側にはロッカー扉１ａの開閉を規制する錠装置１２が配設されており、この錠装置１２の施錠及び解錠するための錠シリンダに連結された操作ノブ１２ａがロッカー扉１ａに露出している。また、この錠装置１２はカードＲ／Ｗ１１と一体型となっている。さらに、ロッカー扉１ａの表にはロッカー番号を記した銘板１ｂが取付られている。なお、この下足ロッカー装置１は空き状態でロッカー扉１ａは開閉可能となっている（解錠待機）。
【００２１】
図３は下足ロッカー装置１の要部ブロック図である。制御部１０はマイクロコンピュータ等で構成されており、ＲＡＭ、ＲＯＭ及びＥＥＰＲＯＭを備えている。そしてＲＯＭに記録されたプログラムに基づいて下足ロッカー装置１の制御を行う。また、ＥＥＰＲＯＭには当該下足ロッカー装置１に対応するＩＣカード４の識別コードが記憶されている。カードＲ／Ｗ１１は該カードＲ／Ｗ１１に挿入されているＩＣカード４の抜き取りを規制するカードロック装置１１１を備えている。また、錠装置１２は該錠装置１２の施錠及び解錠を規制するためのソレノイド１２１を備えている。そして、制御部１０は後述のフローチャートの動作により、カードＲ／Ｗ２１とＩＣカード４との間でのデータの授受を行うとともに、カードロック装置１１１及びソレノイド１２１を制御する。
【００２２】
図４は更衣ロッカー装置２の外観図であり、図４(A) は扉を閉めた状態、図４(B) は扉を開けた状態を示す。更衣ロッカー装置２には、ロッカー扉２ａの内側にロッカー扉２ａの開閉を規制する錠装置２２が配設されており、この錠装置２２施錠及び解錠するための錠シリンダ２２ａがロッカー扉２ａに露出している。錠シリンダ２２ａにはリストバンド付きのロッカーキー５が挿入されている。
【００２３】
また、ロッカー扉２ａの内側には、錠装置２２と一体型になったカードＲ／Ｗ２１を備えており、このカードＲ／Ｗ２１にＩＣカード４を挿入するようになっている。また、ロッカー扉２ａの表にはカード窓２ｂが設けられており、カードＲ／Ｗ２１にカード４が挿入されると、このカード４の挿入状態をカード窓２ｂから確認できるようになっている。さらに、ロッカー扉２ａの表にはロッカー番号を記した銘板２ｃが取付られている。なお、この更衣ロッカー装置２は空き状態でロッカー扉２ａは開閉可能となっており（解錠待機）、この状態ではロッカーキー５を錠シリンダ２２ａから抜き取ることができないようになっている。
【００２４】
図４(A) の一点鎖線で示した拡大図を示すように、ロッカーキー５は、リストバンド５１にキー５２が取り付けられ、リストバンド５１上に当該更衣ロッカー装置２のロッカー番号をコード化したバーコード５ａが記されている。また、リストバンド５１のホルダ部には同じロッカー番号５ｂが記されている。これにより、利用者は利用している更衣ロッカー装置２のロッカー番号を知ることができる。
【００２５】
図５は更衣ロッカー装置２の要部ブロック図である。制御部２０はマイクロコンピュータ等で構成されており、ＲＡＭ、ＲＯＭ及びＥＥＰＲＯＭを備えている。そしてＲＯＭに記録されたプログラムに基づいて更衣ロッカー装置２の制御を行う。なお、ＥＥＰＲＯＭには当該更衣ロッカー装置２のロッカー番号が記憶されている。錠装置２２は該錠装置２２の施錠及び解錠を規制するためのソレノイド２２１を備えている。そして、制御部２０は後述のフローチャートの動作により、カードＲ／Ｗ２１とＩＣカード４との間でのデータの授受を行うとともに、ソレノイド２２１を制御する。
【００２６】
図６下足ロッカー装置１における制御部１０の制御プログラムのフローチャート、図７は更衣ロッカー装置２における制御部２０の制御プログラムのフローチャートであり、同図に基づいて動作を説明する。
【００２７】
図６のフローチャートは下足ロッカー装置１の電源の投入により起動され、ステップＳ１で錠装置１２が施錠されるのを監視する。施錠されると、ステップＳ２でカードＲ／Ｗ１１により該カードＲ／Ｗ１１に挿入されているＩＣカード４のデータ（前回のロッカー番号及び精算情報等）をクリアするとともに、入館フラグを書き込む。次に、ステップＳ３でカードロック装置１２１のロックを解錠してＩＣカード４を抜き取れるようにする。そして、ステップＳ４でＩＣカード４の抜き取りが有るかを監視し、抜き取られると、ステップＳ５で錠装置１２のソレノイド１２１を駆動して錠装置１２をロックし、ステップＳ６に進む。以上の処理は、利用者が下足ロッカー装置１に下足を預け入れるときに対応する処理である。
【００２８】
ステップＳ６ではカードＲ／Ｗ１１にＩＣカード４が挿入されるのを監視し、ＩＣカード４が挿入されると、ステップＳ７で、ＩＣカード４からデータを読み取るとともに、このＩＣカードの識別コードがＥＥＰＲＯＭに記憶されている識別コードと一致し、かつＩＣカード４に精算情報が記録されているか（適正な精算情報であるか）を判定し、識別コードが一致しないか精算情報が記録されていなければステップＳ６に戻る。そして、識別コードが一致し、かつ精算情報が記録されていれば、テップＳ５で錠装置１２のソレノイド１２１を駆動して錠装置１２のロックを解除し、ステップＳ７でカードロック装置１１１をロックしてステップＳ１に戻る。これにより、下足ロッカー装置１は解錠状態で、ＩＣカード４はカードＲ／Ｗから抜き取れない状態（待機状態）となる。
【００２９】
図７のフローチャートは更衣ロッカー装置２の電源の投入により起動され、ステップＳ１１で、カードＲ／Ｗ２１にＩＣカード４が挿入されるのを監視し、ＩＣカード４が挿入されると、ステップＳ１２で、ＩＣカード４からデータを読み取るとともに、ＩＣカード４にロッカー番号が記録されているかを判定し、すでにロッカー番号が記録されていればステップＳ１３でエラー音を発してステップＳ１１に戻る。ＩＣカード４にロッカー番号が記録されていなければ、ステップＳ１４でカードＲ／Ｗ２１によりＩＣカード４にロッカー番号を書き込み、ステップＳ１５で書き込みが完了したかを判定する。そして、ロッカー番号の書き込みが完了すると、ステップＳ１６で錠装置２２のソレノイド２２１を駆動して錠装置２２のロックを解除し、ロッカーキー５及び錠シリンダ２２ａによる施錠を可能にする。以上の処理は、利用者が更衣ロッカー装置２の利用を開始するときに対応する処理である。
【００３０】
次に、ステップＳ１７では、カードＲ／Ｗ２１でＩＣカード４の抜き取りが有るかを監視し、抜き取られると、ステップＳ１８で錠装置２２のソレノイド２２１を駆動して錠装置２２をロックし、ステップＳ１１に戻る。これにより、更衣ロッカー装置２は解錠状態で、錠シリンダ２２ａからロッカーキー５を抜き取れない状態（待機状態）となる。
【００３１】
以上の構成により、このロッカーシステムの運用時には次のようにする。利用者は、下足ロッカーＡにおいて空いている所望の下足ロッカー装置１のロッカー扉１ａを開け、下足を収納して操作ノブ１２ａを回して錠装置１２を施錠すると、ＩＣカード４をカードＲ／Ｗ１１から引き抜くことができる。なお、このカードＲ／Ｗ１１は制御部１０の制御により、錠装置１２が施錠されるまではＩＣカード４をロックして引き抜くことができないようになっている。
【００３２】
錠装置１２が施錠されると、カードＲ／Ｗ１１によりＩＣカード４のそれまで記録されていた情報（精算情報及びロッカー番号）がクリアされるとともに、入館フラグが書き込まれる。また、ＩＣカード４のロックが解除される。そして、利用者はこのＩＣカード４をカードＲ／Ｗ１１から引き抜いてフロントに持参して受付を行う。フロントではパーソナルコンピュータ３に接続されたカードＲ／Ｗ３１でＩＣカード４の識別コードと入館フラグを読み取り、記憶手段３２に登録する。なお、この登録は、カードＲ／Ｗを有するゲートを備えている場合は、このゲートで識別コードと入館フラグを読み取らせるようにしてもよい。そして、登録が終わると、利用者はＩＣカード４を持って更衣ロッカーＢに向かう。
【００３３】
利用者は、空いている所望の更衣ロッカー装置２のロッカー扉２ａを開け、カードＲ／Ｗ２１に登録済みのＩＣカード４を挿入する。これにより、カードＲ／Ｗ２１によりＩＣカード４の識別コードと入館フラグが読み取られ、当該更衣ロッカー装置２のロッカー番号がＩＣカード４に書き込まれる。入館フラグが記録されていないとき、すでにロッカー番号が書き込まれたＩＣカードが挿入された場合にはエラー音が鳴り、データの授受は行われない。ロッカー番号が書き込まれると錠装置２２のロックが解除されて施錠が可能となるので、利用者はロッカー扉２ａを締めてロッカーキー５及び錠シリンダ２２ａで施錠をし、ロッカーキー５を抜き取る。そして、利用者はロッカーキー５を所持して施設を利用する。このときロッカーキー５のバーコード５ａの情報に基づいて施設内での飲食等を行うことができ、このバーコード５ａの情報と利用料金のデータはフロントのサーバに記録される。
【００３４】
更衣ロッカー装置２は、カードＲ／Ｗ２１内にＩＣカード４が挿入されている間は、ロッカーキー５により任意に解錠及び施錠を行うことができる。施設の利用を終えた利用者は、ロッカーキー５で更衣ロッカー装置２を解錠し、カードＲ／Ｗ２１内のＩＣカード４を抜き取ると、錠装置２２はロックされロッカーキー５及び錠シリンダ２２ａの回動が不能となる。そして、この抜き取ったＩＣカード４を持ってフロントに行き、フロントのカードＲ／Ｗ３１でＩＣカード４から識別コードとロッカー番号を読み取る。これにより、パーソナルコンピュータ３により、サーバ３２をサーチし、利用料金等の精算を行い、精算が終了すると、カードＲ／Ｗ３１によりＩＣカード４に精算が適正に終了したことを示す「精算情報」が書き込まれる。
【００３５】
次に、利用者は、ＩＣカード４を持って下足ロッカーＡにおいて、下足ロッカー装置１のカードＲ／Ｗ１１にＩＣカード４を挿入する。これにより、カードＲ／Ｗ１１により識別コード、精算情報が読み取られる。そして、精算情報が記録されていれば、錠装置１２が解錠され、下足を取り出して退出する。このとき、精算情報が記録されていなければ錠装置１２は解錠されない。
【００３６】
なお、下足ロッカーＡにおける各下足ロッカー装置１、更衣ロッカーＢにおける各更衣ロッカー装置２は、それぞれオンライン等により接続されていない、いわゆるスタンドアローンの構成となっている。これにより簡単なシステム構成となる。しかし、ＩＣカード４を利用して、各下足ロッカー装置１、更衣ロッカー装置２及びフロントのパーソナルコンピュータ３とを、あたかもオンライン等で接続されたシステムのように運用することができる。
【００３７】
また、下足ロッカー装置１からはＩＣカード４を抜き取って、フロントでサーバ３２にその識別コードを登録し、更衣ロッカー装置２を利用しなければロッカーキー５（そのバーコード５ａ）による施設内の利用ができないので、不正が使用を防止できる。
【００３８】
なお、カードＲ／ＷでＩＣカードが抜き取られたか挿入されたかを検出するためには、所定のカードＲ／Ｗに所定のスイッチを設けてもよい。また、、カードＲ／ＷはＩＣカードに駆動用電波を送信して、この電波を受信したＩＣカードがそのデータを出力する構成になっているので、カードＲ／Ｗがデータを受信するか否かによりＩＣカードの有無を判定するようにしてもよい。
【００３９】
また、上記の実施形態では携帯用カードとしてＩＣカードを例に説明したが、データの読み書き可能なものであればよい。例えば磁気カードでもよい。
【図面の簡単な説明】
【００４０】
【図１】本発明の実施形態のロッカーシステムの概略構成図である。
【図２】実施形態の下足ロッカー装置の外観図である。
【図３】同下足ロッカー装置の要部ブロック図である。
【図４】実施形態の更衣ロッカー装置の外観図である。
【図５】同更衣ロッカー装置の要部ブロック図である。
【図６】実施形態の下足ロッカー装置における制御部の制御プログラムのフローチャートである。
【図７】実施形態の更衣ロッカー装置における制御部の制御プログラムのフローチャートである。
【符号の説明】
【００４１】
１          下足ロッカー装置
２          更衣ロッカー装置
３          パーソナルコンピュータ
４          ＩＣカード（携帯用カード）
５          ロッカーキー
１０，２０  制御部
１１，２１  カードＲ／Ｗ
１２，２２  錠装置
３２        サーバ（記憶手段）
【図１】
0005124222.tif 000002
【図２】
0005124222.tif 000003
【図３】
0005124222.tif 000004
【図４】
0005124222.tif 000005
【図５】
0005124222.tif 000006
【図６】
0005124222.tif 000007
【図７】
0005124222.tif 000008